(57)【要約】【課題】逆止弁の機能が阻害された状態で、断水等が発生した場合でも、汚れた水が水道管に逆流することのない機器への注湯装置を提供すること。【解決手段】注水弁１と、注湯弁２と、流路を切り換える流路切り換え弁４と、前記注水弁と注湯弁の少なくとも一方の弁より下流側で、残り湯が混合する部分の上流側に配置した逆流防止装置１３とを備え、逆流防止装置１３は、その内部の水圧と前記注水弁または注湯弁の近傍における水圧との圧力差、および内部の水圧と大気圧との圧力差の合力により開閉する弁を有するもので、逆流防止装置１３における圧力差の合力により、逆止弁の機能が阻害された状態で、断水等が発生した場合でも、弁が作用して負圧を開放させ、逆流を防止する。【選択図】　図１
2004044833.tif 000002
【特許請求の範囲】
【請求項１】
水道水を供給する注水弁と、湯を供給する注湯弁と、浴槽の残り湯を機器または浴槽へ循環供給するため流路を切り換える流路切り換え弁と、前記注水弁と注湯弁の少なくとも一方の弁より下流側で、かつ前記残り湯が混合する部分の上流側に配置した逆流防止装置とを備え、前記逆流防止装置は、その内部の水圧と前記注水弁または注湯弁の近傍における水圧との圧力差、および前記内部の水圧と大気圧との圧力差の合力により開閉する大気開放弁を有する機器への注湯装置。
【請求項２】
逆流防止装置は、それぞれの圧力差により動作する一対のダイアフラムを有し、これらダイアフラムと大気開放弁を一体的に動作するようにするとともに大気開放弁を開方向に付勢した請求項１に記載の機器への注湯装置。
【請求項３】
大気圧側のダイアフラムの逆流防止装置内における受圧面積と、大気開放弁の逆流防止装置内における受圧面積を同一にした請求項２に記載の機器への注湯装置。
【請求項４】
注水弁または注湯弁の近傍における水圧を受けるダイアフラムの受圧面積を、大気開放弁の逆流防止装置内における受圧面積よりも大きくした請求項２または３に記載の機器への注湯装置。
【請求項５】
水道水を供給する注水弁と、湯を供給する注湯弁と、浴槽の残り湯を機器または浴槽へ循環供給するため流路を切り換える流路切り換え弁と、前記注水弁と注湯弁の少なくとも一方の弁より下流側で、かつ前記残り湯が混合する部分の上流側に配置した逆流防止装置とを備え、前記逆流防止装置は、その内部の水圧と前記注水弁または注湯弁の近傍における水圧との圧力差により開閉する大気開放弁を有するとともに、大気開放弁は注水弁または注湯弁の近傍における水圧を受ける面積を内部の水圧を受ける面積よりも大とした機器への注湯装置。
【請求項６】
注水弁または注湯弁の近傍における水圧を受ける大気開放弁の受圧部をダイアフラムとし、逆流防止装置内の水圧は大気開放弁で直接受けるようにし、かつ大気開放弁は開方向に付勢した請求項５に記載の機器への注湯装置。
【請求項７】
逆流防止装置は、注水弁の下流側に配置した請求項１に記載の機器への注湯装置。
【請求項８】
逆流防止装置の大気開放弁は、注水弁または注湯弁の近傍における水圧を受ける面積を内部の水圧を受ける面積よりも大とした請求項７に記載の機器への注湯装置。
【発明の詳細な説明】
【０００１】
【発明の属する技術分野】
本発明は、水、給湯機からの湯、浴槽の残り湯等を洗濯機、洗浄装置、空調装置等へ供給する機器への注湯装置に関するものである。
【０００２】
【従来の技術】
従来、この種の注湯装置として、洗濯機への注湯の場合を図７に示した。
【０００３】
これは、水を供給する注水弁１と、湯を供給する注湯弁２と、給水モードを選択するリモコン３と、流路を切り換える流路切り換え弁４と、通水の有無を検出する通水検出手段５と、逆流防止の逆止弁６（安全のために２連の構成になっている）と、リモコン３で選択されたモードによって制御する制御装置７から構成される。そして、洗濯機等の機器８により洗濯を行う場合は、洗いとすすぎを自動判別し、洗いの際はリモコン３で選択されたモードに従って、水、湯、浴槽９の残り湯１０のいずれかを機器８へ供給し、すすぎの際は水を供給するようになっている。
【０００４】
循環ポンプ１１は、浴槽９から残り湯１０を汲み上げ、流路切り換え弁４で流路が切り換えられ、機器８または浴槽９へ循環供給する。機器８への給湯および浴槽９への水の循環加熱は、上記した注湯装置を内部または外部に接続した給湯機１２により行なわれる。
【０００５】
なお、制御装置７は、注水弁１、注湯弁２、流路切り換え弁４、通水検出手段５、給湯機１２をリモコン３で選択されたモードによってそれぞれ動作させるものである。
【０００６】
【発明が解決しようとする課題】
上記した従来の注湯装置においては、水、湯、残り湯１０のいずれかを選択して機器８に供給することができる。しかし、逆止弁６にゴミ等が詰りその働きが阻害された状態で、断水等が発生し水道水の供給側が負圧になった場合は、浴槽９の汚れた水が水道管に逆流する恐れがあるという課題を有していた。
【０００７】
本発明は、上記従来の課題を解決するもので、逆止弁の機能が阻害された状態で、断水等が発生した場合でも、汚れた水が水道管に逆流することのない機器への注湯装置を提供することを目的とするものである。
【０００８】
【発明を解決するための手段】
上記目的を達成するために、本発明の機器への注湯装置は、注水弁と注湯弁の少なくとも一方の弁より下流側で、かつ残り湯が混合する部分の上流側に逆流防止装置を配置し、この逆流防止装置は、その内部の水圧と注水弁または注湯弁の近傍における水圧との圧力差、および内部の水圧と大気圧との圧力差の合力により開閉する大気開放弁を有するものである。
【０００９】
これにより、逆止弁の機能が阻害された状態で、断水等が発生した場合でも、逆流防止装置における圧力差の合力により大気開放弁が作用して負圧を開放させ、逆流を防止することができる。
【００１０】
【発明の実施の形態】
請求項１に記載の発明は、水道水を供給する注水弁と、湯を供給する注湯弁と、浴槽の残り湯を機器または浴槽へ循環供給するため流路を切り換える流路切り換え弁と、前記注水弁と注湯弁の少なくとも一方の弁より下流側で、かつ前記残り湯が混合する部分の上流側に配置した逆流防止装置とを備え、前記逆流防止装置は、その内部の水圧と前記注水弁または注湯弁の近傍における水圧との圧力差、および前記内部の水圧と大気圧との圧力差の合力により開閉する大気開放弁を有する機器への注湯装置とすることにより、逆止弁の機能が阻害された状態で、断水等が発生した場合でも、逆流防止装置における圧力差の合力により大気開放弁が作用して負圧を開放させ、逆流を防止することができるものである。
【００１１】
請求項２に記載の発明は、逆流防止装置は、それぞれの圧力差により動作する一対のダイアフラムを有し、これらダイアフラムと大気開放弁を一体的に動作するようにするとともに大気開放弁を開方向に付勢した請求項１に記載の機器への注湯装置とすることにより、シンプルな構成で逆流を防止することができるものである。
【００１２】
請求項３に記載の発明は、大気圧側のダイアフラムの逆流防止装置内における受圧面積と、大気開放弁の逆流防止装置内における受圧面積を同一にした請求項２に記載の機器への注湯装置とすることにより、逆流防止装置内を通過する水の圧力が変動しても、弁部に不要な動きが発生せず、安定性が得られるものである。
【００１３】
請求項４に記載の発明は、注水弁または注湯弁の近傍における水圧を受けるダイアフラムの受圧面積を、大気開放弁の逆流防止装置内における受圧面積よりも大きくした請求項２または３に記載の機器への注湯装置とすることにより、断水等による圧力の変動を即座に大気開放弁を開放する力として伝えることができるようになり応答が確実になるものである。
【００１４】
請求項５に記載の発明は、水道水を供給する注水弁と、湯を供給する注湯弁と、浴槽の残り湯を機器または浴槽へ循環供給するため流路を切り換える流路切り換え弁と、前記注水弁と注湯弁の少なくとも一方の弁より下流側で、かつ前記残り湯が混合する部分の上流側に配置した逆流防止装置とを備え、前記逆流防止装置は、その内部の水圧と前記注水弁または注湯弁の近傍における水圧との圧力差により開閉する大気開放弁を有するとともに、大気開放弁は注水弁または注湯弁の近傍における水圧を受ける面積を内部の水圧を受ける面積よりも大とした機器への注湯装置とすることにより、簡単な逆流防止装置の構成で逆流を防止することができるものである。
【００１５】
請求項６に記載の発明は、注水弁または注湯弁の近傍における水圧を受ける大気開放弁の受圧部をダイアフラムとし、逆流防止装置内の水圧は大気開放弁で直接受けるようにし、かつ大気開放弁は開方向に付勢した請求項５に記載の機器への注湯装置とすることにより、シンプルな構成で確実に逆流を防止することができるものである。
【００１６】
請求項７に記載の発明は、逆流防止装置は、注水弁の下流側に配置した請求項１に記載の機器への注湯装置とすることにより、より簡単な構成となるものである。
【００１７】
請求項８に記載の発明は、逆流防止装置の大気開放弁は、注水弁または注湯弁の近傍における水圧を受ける面積を内部の水圧を受ける面積よりも大とした請求項７に記載の機器への注湯装置とすることにより、シンプルな構成で確実に逆流を防止することができるものである。
【００１８】
【実施例】
以下、本発明の実施例について、図面を用いて説明する。
【００１９】
（実施例１）
図１は本発明の実施例１における機器への注湯装置を示す。全体構成において、従来例と同一部分には同一符号を付して説明を省略し、相違点を中心に説明する。
【００２０】
図において、１３は逆流防止装置で、注水弁１からの水道水と注湯弁２からの湯とを混合する部分１４の下流側で、かつ残り湯が混合する部分１５の上流側に配置されている。１６は逆流防止装置１３と接続された圧力導入管で、注水弁１の近傍１７の圧力を検知するように接続されているが、注湯弁２の近傍の圧力を検知するようにしてもよい。１８は逆流防止装置１３に接続したドレン管で、後述する大気開放弁より排出される水を装置外に導くものである。１９はドレン管１８がケースを貫通する部分を示し、２０はドレン受けである。
【００２１】
図２は逆流防止装置１３の詳細を示し、２１は注水弁１からの水道水と注湯弁２からの湯の入口、２２はその出口である。２３は圧力導入管１６に接続されて注水弁１の近傍１７の圧力を導入する１次圧入口である。２４はダイアフラムＡで、注水弁１の近傍１７の水圧を受ける受圧部２５を有している。２６は逆流防止装置１３内を通過する水圧の受圧空間である。２７はダイアフラムＢで、大気圧を受ける受圧部２８と逆流防止装置１３内を通過する水圧を受ける受圧部２９を有している。３０は大気開放弁であり、ゴム等の弁体３１を有し、逆流防止装置１３内を通過する水圧を受ける受圧部３２を有している。３３は大気開放弁３０を開放する方向に付勢するばねである。このばね３３の力は、受圧空間２６に水が無い場合のように他に力が殆どかからない場合にのみ大気開放弁３０を開く程度の小さな力に設定している。３４はダイアフラムＢ２７の受圧部２８と対向した連通口である。３５はそれぞれのダイアフラムＡ２４、Ｂ２７と大気開放弁３０とを一体的に動作するように連結する軸である。
【００２２】
以上のように構成された注湯装置について、以下その動作、作用を説明する。
【００２３】
図２において、断水等の無い通常の状態における動作について説明する。入口２１より入った水または湯の圧力は、ダイアフラムＢ２７の受圧部２９および大気開放弁３０の受圧部３２に同時にかかるが、両受圧部の受圧面積がほぼ同等なので互いに打ち消し合う。一方、ダイアフラムＡ２４の、注水弁１の近傍１７の水圧を受ける受圧部２５には水道水圧がかかり、ダイアフラムＢ２７の大気圧を受ける受圧部２８には大気圧がかかる。しかし、ダイアフラムＡ２４の受圧面積が大きいとともに、注水弁１の近傍１７の圧力は大気圧よりも大きいために、全体の合力は大気開放弁３０を閉じる方向に働く。ばね３３は、大気開放弁３０を開く方向に付勢しているが小さな力に設定しているため、開弁しない。また、機器８の入口で閉止されたような場合、すなわち、出口２２の下流側で流路が閉止した場合でも、ダイアフラムＡ２４の面積が大きいため、全体の合力は大気開放弁３０を閉じる方向に働く。
【００２４】
一方、断水等で注水弁１の近傍１７の圧力が大気圧あるいはそれ以下になった場合は、図３に示すように、大気開放弁３０が開く方向に力が作用する。この結果として大気開放弁３０が開き、逆流防止装置１３内の水はドレン管１８を通して装置外に放出され、圧力は開放される。その結果、断水等が発生しても浴槽９の汚れた水が水道管に逆流するようなことがなくなる。
【００２５】
（実施例２）
図４、図５は本発明の実施例２における機器への注湯装置の逆流防止装置を示す。実施例１と同一部分には同一符号を付して説明を省略し、相違点を中心に説明する。
【００２６】
図に示すように、大気開放弁３６は、逆流防止装置１３内を通過する水圧を受ける受圧部３８と、注水弁１の近傍１７の水圧を受けるダイアフラム３９の受圧部４０との圧力差により開閉する構成であり、かつ受圧部４０の受圧面積が受圧部３８の受圧面積よりも可能な限り大きくなるように設定されている。また大気開放弁３６とダイアフラム３９は一体的に動作するように軸４１にて連結されている。
【００２７】
この構成において、断水等の無い通常の状態における動作について説明する。入口２１より入った水または湯の圧力は、大気開放弁３６の受圧部３８にかかる。一方ダイアフラム３９の、注水弁１の近傍１７の水圧を受ける受圧部４０には注水弁１の近傍１７の水圧がかかる。この結果、受圧部４０の受圧面積が受圧部３８の受圧面積よりも大きくなるように設定されているため、大気開放弁３６は閉止の方向に押される。また、機器８の入口で閉止されたような場合、すなわち、出口２２の下流側の流路が閉止した場合でも、ダイアフラム３９の面積が大きいため、全体の合力は大気開放弁３９を閉じる方向に働く。一方、断水等で注水弁１の近傍１７の圧力が大気圧あるいはそれ以下になった場合は、図５に示すように、大気開放弁３６が開く方向に力が作用する。この結果として大気開放弁３６が開き、逆流防止装置１３内の水はドレン管１８を通して装置外に放出され、圧力は開放される。その結果、断水等が発生しても浴槽９の汚れた水が水道管に逆流するようなことがなくなる。
【００２８】
（実施例３）
図６は本発明の実施例３における機器への注湯装置を示す。全体構成は実施例１と同様であるので説明を省略し、相違点を中心に説明する。
【００２９】
図に示すように、逆流防止装置１３が注水弁１の下流側直後４２の位置に配置されていることである。これは、給湯機１２に逆流防止装置がすでに取り付けられている場合である。
【００３０】
これによって、逆流防止装置１３と注水弁１の一体化が可能になり、簡単な構成にすることが可能となる。なお、給湯機１２に逆流防止装置がすでに取り付けられていない場合においては、逆流防止装置１３は、注水弁１の下流側直後４２の位置に代えて、注湯弁２の下流側直後に配置することも可能である。
【００３１】
上記各実施例１〜３の手段は、適宜組み合わせることができるものであり、実施例に示したものに限られるものではない。
【００３２】
【発明の効果】
以上のように本発明の機器への注湯装置によれば、逆止弁の機能が阻害された状態で、断水等が発生した場合でも、逆流防止装置における圧力差の合力により大気開放弁が作用して負圧を開放させ、逆流を防止することができるものである。
【図面の簡単な説明】
【図１】本発明の実施例１における機器への注湯装置を示す全体構成図
【図２】同機器への注湯装置における逆流防止装置の通常使用状態を示す断面図
【図３】同逆流防止装置の開弁状態を示す断面図
【図４】本発明の実施例２における機器への注湯装置の逆流防止装置を示す断面図
【図５】同逆流防止装置の開弁状態を示す断面図
【図６】本発明の実施例３における機器への注湯装置を示す全体構成図
【図７】従来例における機器への注湯装置を示す全体構成図
【符号の説明】
１　注水弁
２　注湯弁
４　流路切り換え弁
６　逆止弁
１３　逆流防止装置
３０、３６　大気開放弁
【図１】
2004044833.tif 000003
【図２】
2004044833.tif 000004
【図３】
2004044833.tif 000005
【図４】
2004044833.tif 000006
【図５】
2004044833.tif 000007
【図６】
2004044833.tif 000008
【図７】
2004044833.tif 000009